(57)【要約】【課題】現在視聴している番組を放送している放送局の系列局を容易に把握することが可能な「デジタル放送受信装置および放送局の情報表示方法」を提供する。【解決手段】選局したチャンネルのデジタル放送信号から、当該チャンネルに対応する放送局の系列局を示す系列局情報を抽出し、当該系列局情報により示される系列局のキー局を表すロゴマーク４２０をモニタ３４０に表示することにより、系列局を連想しやすいロゴマーク４２０を見たユーザが、現在視聴している番組を放送している放送局（仙台放送）が属する系列局（ＣＸ系列）をロゴマーク４２０から容易に把握することができるようにする。【選択図】図２
2010246071.tif 000002
【特許請求の範囲】
【請求項１】
受信可能な複数のチャンネルの中から何れかのチャンネルを選局する選局部と、
前記選局部により選局されたチャンネルのデジタル放送信号から、前記選局されたチャンネルに対応する放送局の系列局を示す系列局情報を抽出する系列局情報抽出部と、
前記系列局情報抽出部により抽出された系列局情報により示される系列局に対応して予め設定された放送局を表す情報を表示部に表示するように制御する表示制御部とを備えたことを特徴とするデジタル放送受信装置。
【請求項２】
請求項１に記載のデジタル放送受信装置において、
前記表示制御部は、前記系列局情報により示される系列局のキー局を表す情報を前記表示部に表示することを特徴とするデジタル放送送受信装置。
【請求項３】
請求項１に記載のデジタル放送受信装置において、
前記表示制御部は、前記系列局情報により示される系列局に属する放送局のうち、あらかじめ登録されたユーザの居住区域で受信可能な放送局を表す情報を前記表示部に表示することを特徴とするデジタル放送受信装置。
【請求項４】
請求項２または３に記載のデジタル放送受信装置において、
前記表示制御部は更に、前記チャンネルに対応する放送局を表す情報を前記表示部に表示することを特徴とするデジタル放送送受信装置。
【請求項５】
受信可能な複数のチャンネルの中から何れかのチャンネルを選局する第１のステップと、
前記第１のステップにより選局されたチャンネルのデジタル放送信号から、前記選局されたチャンネルに対応する放送局が属する系列局を示す系列局情報を抽出する第２のステップと、
前記第２のステップにより抽出された系列局情報により示される系列局に対応して予め設定された放送局を表す情報を表示部に表示するように制御する第３のステップとを有することを特徴とする放送局の情報表示方法。
【発明の詳細な説明】
【技術分野】
【０００１】
本発明は、デジタル放送受信装置および放送局の情報表示方法に関し、特に、放送局を識別するロゴマークを表示する機能を有するデジタル放送受信装置に用いて好適なものである。
【背景技術】
【０００２】
近年、車両に搭載されるデジタル放送受信装置が普及しつつある。このデジタル放送受信装置は、デジタル放送信号を正常に受信できる状態であれば、ユーザがどのチャンネルを見ているかを把握できるようにするために、受信中のデジタル放送の放送局を表すロゴマークを画面の端（右上や右下、左上など）に常時表示している。
【０００３】
車載用のデジタル放送受信装置では、車両が放送区域をまたいで移動した場合、それまで視聴していたデジタル放送の受信ができなくなる。この問題に対して、移動先の放送区域においても同一番組のデジタル放送の受信を継続可能にしたデジタル放送受信装置が知られている。具体的には、視聴中の番組が受信不可能になると、チャンネルサーチを開始し、視聴していた番組の放送局と系列関係にある他の放送局のチャンネルがあれば、そのチャンネルを選局して受信動作を行うようにしている。
【０００４】
なお、放送番組の録画予約を行うための電子番組表上に放送局毎のロゴマークを表示し、ロゴマークが存在しない放送局については放送形態（例えば、地上波アナログ放送、ＢＳデジタル放送等）に合わせた標準のロゴマークを表示する技術が提案されている（例えば、特許文献１を参照）。この特許文献１に記載の技術によれば、放送局固有のロゴマークが定義されているデジタル放送と、定義されていないアナログ放送とを同じ電子番組表上に同じデザイン形式（ロゴマーク）として配置することにより、電子番組表の一覧性を向上させることができる。
【先行技術文献】
【特許文献】
【０００５】
【特許文献１】特開２００５−１４２７６０号公報
【発明の概要】
【発明が解決しようとする課題】
【０００６】
上述したように、車両が放送区域をまたいで移動した場合、移動先ではデジタル放送受信装置において受信可能な放送局が変わる。そのため、画面表示される放送局のロゴマークは移動前に画面表示されていたものとは異なる。ユーザにとって、自分の居住区域の放送局がどの系列局かについてはなじみがある。しかし、それ以外の放送局はなじみがない。よって、放送区域をまたいで居住区域の外へ移動した場合には、画面に表示されたロゴマークを見ただけでは、移動後に受信したデジタル放送の放送局がどの系列局に属するのかを容易に把握できないという問題があった。
【０００７】
例えば、ユーザの居住区域の放送局が福島テレビ（ＣＸ系列）である場合、放送区域をまたいで居住区域の外へ移動したときに同一系列の関係にある仙台放送局（ＣＸ系列）からのデジタル放送を受信したときを考えてみる。このとき、移動後に画面表示される仙台放送局のロゴマークと移動前に表示されていた福島テレビのロゴマークとは形態が異なるため、ユーザは、現在受信している仙台放送局がどの系列局に属するのかを把握することは困難である。もし、仙台放送局で系列局（ＣＸ系）特有の番組を放送しているのであれば、その番組内容から系列局（ＣＸ系）を把握することができる場合もある。しかし、系列局特有の番組をやっていないときは系列局を把握することはできない。また、系列局特有の番組を放送していたとしても、ユーザは実際の番組内容から系列局を推測しなければならないため、当該ユーザに余計な負担を与えてしまう。
【０００８】
本発明は、このような問題を解決するために成されたものであり、現在視聴している番組を放送している放送局が属する系列局を容易に把握できるようにすることを目的とする。
【課題を解決するための手段】
【０００９】
上記した課題を解決するために、本発明では、選局されたチャンネルのデジタル放送信号から、当該選択されたチャンネルに対応する放送局が属する系列局を示す系列局情報を抽出し、当該系列局情報により示される系列局に対応して予め設定された放送局を表す情報を表示部に表示するようにしている。
【発明の効果】
【００１０】
上記のように構成した本発明によれば、系列局に対応して予め設定された放送局を表す情報（例えば、当該系列局を連想しやすいロゴマーク）が表示部に表示されるので、そのロゴマークを見たユーザは、現在視聴している番組を放送している放送局が属する系列局を容易に把握することができる。
【図面の簡単な説明】
【００１１】
【図１】第１の実施形態によるデジタル放送受信装置の全体構成例を示すブロック図である。
【図２】第１の実施形態による受信局のロゴマーク表示結果例を説明する図である。
【図３】第１の実施形態による受信局のロゴマーク表示動作例を示すフローチャートである。
【図４】第２の実施形態によるデジタル放送受信装置の全体構成例を示すブロック図である。
【図５】第２の実施形態による受信局のロゴマーク表示結果例を説明する図である。
【図６】第２の実施形態による受信局のロゴマーク表示動作例を示すフローチャートである。
【発明を実施するための形態】
【００１２】
以下、本発明の第１の実施形態を図面に基づいて説明する。図１は、第１の実施形態によるデジタル放送受信装置１００の全体構成例を示すブロック図である。図１に示すように、デジタル放送受信装置１００は、放送チューナ１２０、ＯＦＤＭ復調部１４０、誤り訂正部１６０、制御部１８０、デマルチプレクサ２００、映像音声デコーダ２２０、データデコーダ２６０、ロゴマーク記憶部２８０、ロゴマーク取得部３００および表示制御部３２０を備えて構成されている。なお、放送チューナ１２０は、本発明の選局部に相当する。また、データデコーダ２６０は、本発明の系列局情報抽出部に相当する。
【００１３】
放送チューナ１２０は、アンテナ（図示せず）によって受信したデジタル放送の電波から所望のチャンネルに合致した受信周波数のデジタル放送信号を選択的に抽出して出力する。すなわち、放送チューナ１２０は、操作部（図示せず）の操作によりチャンネルが選択されたときに、選択されたチャンネル（放送局）に対応する受信周波数のデジタル放送信号をデジタル放送の電波から抽出して出力する。また、放送チューナ１２０は、制御部１８０の制御によってチャンネル（放送局）が変更されたとき、変更されたチャンネル（放送局）に対応する受信周波数のデジタル放送信号をデジタル放送の電波から抽出して出力する。
【００１４】
ＯＦＤＭ復調部１４０は、放送チューナ１２０で受信したデジタル放送信号をＯＦＤＭ復調してトランスポートストリーム（Ｔｒａｎｓｐｏｒｔ  Ｓｔｒｅａｍ：以下、ＴＳと称する）を取得する。
【００１５】
誤り訂正部１６０は、ＯＦＤＭ復調部１４０により復調されたＴＳに対して、伝送路で発生した誤りの訂正を実行する。また、誤り訂正部１６０は、誤り訂正前後のビットエラー率（ＢＥＲ）を検出することができ、そのＢＥＲなどを受信状態情報として制御部１８０に出力する。制御部１８０は、誤り訂正部１６０から出力された受信状態情報により示されるＢＥＲが所定値以上である（すなわち、現在受信中の放送局の視聴が困難である）か否かについて判定する。ＢＥＲが所定値以上である場合、制御部１８０は、公知の技術を利用することによって、現時点でデータデコード２６０により取得済みのデータ中に含まれるチャンネルリストに存在する放送局から受信状態が良好な（ＢＥＲが所定値未満である）同一系列の放送局を自動受信するように放送チューナ１２０を制御する。
【００１６】
デマルチプレクサ２００は、誤り訂正部１６０により誤りの訂正が実行されたＴＳに対して所定の復号処理を行い、放送ストリームおよびデータストリームを分離抽出する。デマルチプレクサ２００は、分離抽出した放送ストリームを映像音声デコーダ２２０に出力する。また、デマルチプレクサ２００は、分離抽出したデータストリームをデータデコーダ２６０に出力する。
【００１７】
ここで、デマルチプレクサ２００により分離抽出された放送ストリームには、映像データおよび音声データが含まれている。また、デマルチプレクサ２００により分離抽出されたデータストリームには、上述したチャンネルリストの他に、受信中の放送局を識別する放送局情報、当該放送局を表すロゴマーク（以下、「サービスロゴ」という）、当該放送局が属する系列局を識別する系列局情報が含まれている。系列局情報には、受信中の放送局が属する系列局があれば、ＮＨＫ総合、ＮＨＫ教育、ＮＴＶ系列、ＴＢＳ系列、ＣＸ（フジ）系列、テレビ朝日系列、テレビ東京系列およびサンテレビジョン系列のいずれかに属する旨を示す情報が含まれている。また、系列局情報には、受信中の放送局が属する系列局がなければ（つまり、当該放送局が独立局であれば）、当該放送局がいずれの系列局にも属さない旨を示す情報が含まれている。
【００１８】
映像音声デコーダ２２０は、デマルチプレクサ２００から出力された放送ストリームを復号し、復号により得た映像データを表示制御部３２０に出力する。また、映像音声デコーダ２２０は、放送ストリームから復号により得た音声データをスピーカ２４０に出力する。データデコーダ２６０は、デマルチプレクサ２００から出力されたデータストリームからチャンネルリスト、放送局情報、系列局情報およびサービスロゴを分離抽出する。そして、データデコーダ２６０は、抽出した各情報のうち系列局情報およびサービスロゴをロゴマーク取得部３００に出力する。
【００１９】
ロゴマーク記憶部２８０は、系列局と当該系列局のキー局を表すロゴマーク（以下、「ロゴマーク（キー局）」という）とを関連付けて記憶する。具体的には、ロゴマーク記憶部２８０は、ＮＨＫ総合、ＮＨＫ教育、ＮＴＶ系列、ＴＢＳ系列、ＣＸ（フジ）系列、テレビ朝日系列、テレビ東京系列およびサンテレビジョン系列の各々に対して、系列局のキー局を表すロゴマーク（キー局）を関連付けて記憶している。
【００２０】
ロゴマーク取得部３００は、データデコーダ２６０から出力された系列局情報およびサービスロゴを取得する。そして、ロゴマーク取得部３００は、取得したロゴデータ（放送局）を表示制御部３２０に出力する。また、ロゴマーク取得部３００は、データデコーダ２６０から取得した系列局情報に基づいて、受信中の放送局が属する系列局があるか否かについて判定する。もし、受信中の放送局が属する系列局がある場合、ロゴマーク取得部３００は、当該系列局のキー局を表すロゴマーク（キー局）をロゴマーク記憶部２８０から取得し、表示制御部３２０に出力する。一方、受信中の放送局が属する系列局がない場合、ロゴマーク取得部３００はロゴマーク（キー局）をロゴマーク記憶部２８０から取得しない。
【００２１】
表示制御部３２０は、ロゴマーク取得部３００からサービスロゴおよびロゴマーク（キー局）が出力された場合、映像音声デコーダ２２０から出力された映像データと、サービスロゴおよびロゴマーク（キー局）とを合成して合成画像を生成する。また、表示制御部３２０は、ロゴマーク取得部３００からサービスロゴのみが出力された場合、映像音声デコーダ２２０から出力された映像データと、サービスロゴとを合成して合成画像を生成する。そして、表示制御部３２０は、生成した合成画像をモニタ３４０（本発明の表示部に対応）に出力する。
【００２２】
図２は、デジタル放送受信装置１００によってデジタル放送を受信しているとき、モニタ３４０に表示される画面の例を示す図である。図２に示すように、デジタル放送の受信時には、現在受信（オンエア）中の放送局（仙台放送）を表すサービスロゴ４００、および、放送局（仙台放送）が属する系列局（ＣＸ系列）のキー局を表すロゴマーク４２０が画面右上に表示されている。ユーザは、現在視聴している番組を放送している放送局（仙台放送）が属する系列局（ＣＸ系列）をロゴマーク（キー局）４２０から容易に把握することができる。
【００２３】
次に、第１の実施形態のデジタル放送受信装置１００による放送局のロゴマーク表示動作について説明する。図３は、第１の実施形態のデジタル放送受信装置１００による放送局のロゴマーク表示動作例を示すフローチャートである。図３におけるステップＳ１００の処理は、例えば、デジタル放送受信装置１００が起動することによって開始する。
【００２４】
まず、放送チューナ１２０は、アンテナ（図示せず）によって受信したデジタル放送の電波から、指定されたチャンネルに合致した受信周波数の放送波信号を選択的に抽出して出力する（ステップＳ１００）。ＯＦＤＭ復調部１４０は、放送チューナ１２０で受信した放送波信号をＯＦＤＭ復調してＴＳを取得する（ステップＳ１２０）。ここで、誤り訂正部１６０は、ＯＦＤＭ復調部１４０により復調されたＴＳに対して、伝送路で発生した誤りの訂正を実行し、誤り訂正前後のビットエラー率（ＢＥＲ）を受信状態情報として制御部１８０に出力する。
【００２５】
次に、制御部１８０は、誤り訂正部１６０から出力された受信状態情報により示されるＢＥＲが所定値以上である（すなわち、現在受信中の放送局の視聴が困難である）か否かについて判定する（ステップＳ１４０）。もし、ＢＥＲが所定値以上であると制御部１８０にて判定した場合（ステップＳ１４０にてＹＥＳ）、制御部１８０は、現時点で取得済みのチャンネルリストに存在する放送局から受信状態が良好な（ＢＥＲが所定値未満である）同一系列の放送局を自動受信するように放送チューナ１２０を制御する（ステップＳ１６０）。その後、処理はステップＳ１００に遷移する。
【００２６】
次に、デマルチプレクサ２００は、誤り訂正部１６０により誤りの訂正が実行されたＴＳに対して所定の復号処理を行い、放送ストリームおよびデータストリームを分離抽出する（ステップＳ１８０）。ここで、デマルチプレクサ２００は、分離抽出した放送ストリームを映像音声デコーダ２２０に出力する。また、デマルチプレクサ２００は、分離抽出したデータストリームをデータデコーダ２６０に出力する。
【００２７】
次に、映像音声デコーダ２２０は、デマルチプレクサ２００から出力された放送ストリームを復号し、復号により得た映像データを表示制御部３２０に出力する（ステップＳ２００）。次に、データデコーダ２６０は、デマルチプレクサ２００から出力されたデータストリームから系列局情報およびサービスロゴを分離抽出する（ステップＳ２２０）。ここで、データデコーダ２６０は、抽出した系列局情報およびサービスロゴをロゴマーク取得部３００に出力する。
【００２８】
次に、ロゴマーク取得部３００は、データデコーダ２６０から取得したロゴデータ（放送局）を表示制御部３２０に出力する（ステップＳ２４０）。次に、ロゴマーク取得部３００は、データデコーダ２６０から出力された系列局情報に基づいて、受信中の放送局が属する系列局があるか否かについて判定する（ステップＳ２６０）。
【００２９】
もし、受信中の放送局が属する系列局があるとロゴマーク取得部３００にて判定した場合（ステップＳ２６０にてＹＥＳ）、ロゴマーク取得部３００は、当該系列局のキー局を表すロゴマーク（キー局）をロゴマーク記憶部２８０から取得し、表示制御部３２０に出力する（ステップＳ２８０）。次に、表示制御部３２０は、映像音声デコーダ２２０から出力された映像データと、ロゴマーク取得部３００から出力されたサービスロゴおよびロゴマーク（キー局）とを合成して合成画像を生成する（ステップＳ３００）。その後、処理はステップＳ３４０へ遷移する。
【００３０】
一方、受信中の放送局が属する系列局がない（つまり、当該放送局が独立局である）とロゴマーク取得部３００にて判定した場合（ステップＳ２６０にてＮＯ）、表示制御部３２０は、映像音声デコーダ２２０から出力された映像データと、ロゴマーク取得部３００から出力されたサービスロゴとを合成して合成画像を生成する（ステップＳ３２０）。その後、処理はステップＳ３４０に遷移する。
【００３１】
ステップＳ３４０では、表示制御部３２０は、ステップＳ３００またはＳ３２０で生成した合成画像をモニタ３４０に出力する。次に、映像音声デコーダ２２０は、デマルチプレクサ２００から出力された放送ストリームから復号により得た音声データをスピーカ２４０に出力する（ステップＳ３６０）。最後に、デジタル放送受信装置１００は、ユーザによる電源オフ操作が行なわれたか否かについて判定する（ステップＳ３８０）。
【００３２】
もし、電源オフ操作が行なわれていないとデジタル放送受信装置１００にて判定した場合（ステップＳ３８０にてＮＯ）、処理はステップＳ１００に遷移する。一方、電源オフ操作が行なわれたとデジタル放送受信装置１００にて判定した場合（ステップＳ３８０にてＹＥＳ）、デジタル放送受信装置１００は図３における処理を終了する。
【００３３】
以上詳しく説明したように、第１の実施形態では、選局したチャンネルのデジタル放送信号から、当該チャンネルに対応する放送局が属する系列局を示す系列局情報を抽出し、当該系列局情報により示される系列局のキー局を表すロゴマーク４２０を、受信中の放送局を表すロゴマーク４００と共にモニタ３４０に表示するようにしている。
【００３４】
このように構成した第１の実施形態によれば、選局されたチャンネルに対応する放送局を表すロゴマーク４００に加えて、系列局を連想しやすいロゴマーク４２０がモニタ３４０に表示されるので、それらのロゴマークを見たユーザは、現在視聴しているデジタル放送の放送局をロゴマーク４００から把握するとともに、その視聴中のデジタル放送がどの系列局に属する放送局から放送されたものであるかをロゴマーク４２０から把握することができる。
【００３５】
次に、本発明の第２の実施形態を図面に基づいて説明する。図４は、第２の実施形態によるデジタル放送受信装置１００′の全体構成例を示すブロック図である。第２の実施形態によるデジタル放送受信装置１００′は、図１のデータデコーダ２６０、ロゴマーク記憶部２８０、ロゴマーク取得部３００および表示制御部３２０の代わりに、データデコーダ２６０′、ロゴマーク記憶部２８０′、ロゴマーク取得部３００′および表示制御部３２０′をそれぞれ備えている。また、デジタル放送受信装置１００′は、放送局対応情報記憶部３６０および居住区域設定部３８０を更に備えている。なお、この図４において、図１に示した符号と同一の符号を付したものは同一の機能を有するものであるので、ここでは重複する説明を省略する。
【００３６】
受信可能放送局情報記憶部３６０は、全国の都道府県の各々で受信可能な放送局を示す受信可能放送局情報を記憶している。居住区域設定部３８０は、操作部（図示せず）に対するユーザ操作を介して、ユーザの居住区域（例えば、４７都道府県の何れか１つ）を設定する。本実施形態では、居住区域設定部３８０は、ユーザの居住区域として福島県を設定したものとする。居住区域設定部３８０は、設定した居住区域を示す居住区域情報をロゴマーク取得部３００′に出力する。
【００３７】
データデコーダ２６０′は、デマルチプレクサ２００から出力されたデータストリームから放送局情報、系列局情報およびサービスロゴを分離抽出する。そして、データデコーダ２６０′は、抽出した放送局情報、系列局情報およびサービスロゴをロゴマーク取得部３００′に出力する。
【００３８】
ロゴマーク取得部３００′は、データデコーダ２６０′から取得したロゴデータ（放送局）を表示制御部３２０′に出力する。また、ロゴマーク取得部３００′は、受信可能放送局情報記憶部３６０に記憶されている受信可能放送局情報に基づいて、データデコーダ２６０′から出力された放送局情報により示される放送局が居住区域設定部３８０から出力された居住区域情報により示される居住区域（福島県）で受信可能な放送局であるか否かについて判定する。もし、居住区域で受信可能な放送局である場合には、ロゴマーク取得部３００′は、データデコーダ２６０′から取得したロゴデータ（放送局）と系列局情報とを関連付けてロゴマーク記憶部２８０′に記憶する。
【００３９】
ロゴマーク記憶部２８０′は、ロゴマーク取得部３００′から出力されたサービスロゴおよび系列局情報を関連付けて記憶する。ロゴマーク記憶部２８０′は、ロゴマーク取得部３００′から出力されたサービスロゴを、居住区域設定部３８０により設定された居住区域（福島県）で受信可能な放送局のうち、系列局情報により示される放送局に属する放送局を表すロゴマーク（以下、「ロゴマーク（ユーザ居住区域）」という）として記憶する。本実施形態では、ロゴマーク記憶部２８０′は、福島県で受信可能な放送局である、テレビユー福島、福島中央テレビ、福島テレビおよび福島放送などの放送局の各々を表すロゴマーク（ユーザ居住区域）と、当該各々の放送局が属するＴＢＳ系列局（テレビユー福島に対応）、ＮＴＶ系列局（福島中央テレビに対応）、ＣＸ系列局（福島テレビに対応）およびテレビ朝日系列局（福島放送に対応）などの系列局を示す系列局情報とをそれぞれ関連付けて記憶している。
【００４０】
一方、居住区域（福島県）で受信可能な放送局でない場合には、ロゴマーク取得部３００′は、データデコーダ２６０′から出力された系列局情報に基づいて、受信中の放送局が属する系列局があるか否かについて判定する。もし、受信中の放送局が属する系列局がある場合、ロゴマーク取得部３００′は、当該系列局に属する放送局のうち、ユーザの居住区域で受信可能な放送局を表すロゴマーク（ユーザ居住区域）をロゴマーク記憶部２８０′から取得し、表示制御部３２０′に出力する。一方、受信中の放送局が属する系列局がない場合、ロゴマーク取得部３００′はロゴマーク記憶部２８０′から何も取得しない。
【００４１】
表示制御部３２０′は、ロゴマーク取得部３００′からサービスロゴおよびロゴマーク（ユーザ居住区域）が出力された場合、映像音声デコーダ２２０から出力された映像データと、サービスロゴおよびロゴマーク（ユーザ居住区域）とを合成して合成画像を生成する。また、表示制御部３２０′は、ロゴマーク取得部３００′からサービスロゴのみが出力された場合、映像音声デコーダ２２０から出力された映像データと、サービスロゴとを合成して合成画像を生成する。そして、表示制御部３２０′は、生成した合成画像をモニタ３４０に出力する。
【００４２】
図５は、デジタル放送受信装置１００′によってデジタル放送を受信しているとき、モニタ３４０に表示される画面の例を示す図である。図５に示すように、デジタル放送の受信時には、現在受信（オンエア）中の放送局（仙台放送）を表すサービスロゴ５００、および、当該放送局（仙台放送）の系列局（ＣＸ系列）に属する放送局のうちユーザの居住区域（ホーム）で受信可能な放送局（福島テレビ）を表すロゴマーク５２０が画面右上に表示されている。ユーザは、現在視聴している番組を放送している放送局（仙台放送）が属する系列局（ＣＸ系列）をロゴマーク（ユーザ居住区域）５２０から容易に把握することができる。
【００４３】
次に、第２の実施形態のデジタル放送受信装置１００′による放送局のロゴマーク表示動作について説明する。図６は、第２の実施形態のデジタル放送受信装置１００′による放送局のロゴマーク表示動作例を示すフローチャートである。図６におけるステップＳ４００の処理は、デジタル放送受信装置１００′が起動することによって開始する。なお、この図６において、ステップＳ４００〜Ｓ５００およびステップＳ６８０〜Ｓ７２０は、図３のステップＳ１００〜Ｓ２００およびステップＳ３４０〜Ｓ３８０とそれぞれ同一の処理であるので、ここでは重複する説明を省略する。
【００４４】
ステップＳ５２０では、データデコーダ２６０′は、デマルチプレクサ２００から出力されたデータストリームから放送局情報、系列局情報およびサービスロゴを分離抽出する。ここで、データデコーダ２６０′は、抽出した放送局情報、系列局情報およびサービスロゴをロゴマーク取得部３００′に出力する。
【００４５】
次に、ロゴマーク取得部３００′は、データデコーダ２６０′から取得したロゴデータ（放送局）を表示制御部３２０′に出力する（ステップＳ５４０）。次に、ロゴマーク取得部３００′は、受信可能放送局情報記憶部３６０に記憶されている受信可能放送局情報に基づいて、データデコーダ２６０′から出力された放送局情報により示される放送局が居住区域設定部３８０から出力された居住区域情報により示される居住区域（福島県）で受信可能な放送局であるか否かについて判定する（ステップＳ５６０）。
【００４６】
もし、居住区域で受信可能な放送局であるとロゴマーク取得部３００′にて判定した場合（ステップＳ５６０にてＹＥＳ）、ロゴマーク取得部３００′は、データデコーダ２６０′から出力されたロゴデータ（放送局）と系列局情報とを関連付けてロゴマーク記憶部２８０′に記憶する（ステップＳ５８０）。次に、表示制御部３２０′は、映像音声デコーダ２２０から出力された映像データと、ロゴマーク取得部３００′から出力されたサービスロゴとを合成して合成画像を生成する（ステップＳ６００）。
【００４７】
一方、居住区域（福島県）で受信可能な放送局でないとロゴマーク取得部３００′にて判定した場合（ステップＳ５６０にてＮＯ）、ロゴマーク取得部３００′は、データデコーダ２６０′から出力された系列局情報に基づいて、受信中の放送局が属する系列局があるか否かについて判定する（ステップＳ６２０）。もし、受信中の放送局が属する系列局がないとロゴマーク取得部３００′にて判定した場合（ステップＳ６２０にてＮＯ）、処理はステップＳ６００に遷移する。
【００４８】
一方、受信中の放送局が属する系列局があるとロゴマーク取得部３００′にて判定した場合（ステップＳ６２０にてＹＥＳ）、ロゴマーク取得部３００′は、当該系列局に属する放送局のうち、ユーザの居住区域で受信可能な放送局を表すロゴマーク（ユーザ居住区域）をロゴマーク記憶部２８０′から取得し、表示制御部３２０′に出力する（ステップＳ６４０）。次に、表示制御部３２０′は、映像音声デコーダ２２０から出力された映像データと、ロゴマーク取得部３００′から出力されたサービスロゴおよびロゴマーク（ユーザ居住区域）とを合成して合成画像を生成する（ステップＳ６６０）。
【００４９】
以上詳しく説明したように、第２の実施形態では、第１の実施形態で表示していたキー局のロゴマーク４２０に代えて、ユーザの居住区域で受信可能な放送局を表すロゴマーク５２０をモニタ３４０に表示するようにしている。このように構成した第２の実施形態によれば、普段視聴しているデジタル放送の放送局を表すロゴマーク５２０が表示されるので、第１の実施形態で表示される系列局のキー局を表すロゴマーク４２０に馴染みがないユーザであっても、現在視聴している番組を放送している放送局が属する系列局をロゴマーク５２０から容易に把握することができる。
【００５０】
なお、上記第１の実施形態では、サービスロゴおよびロゴマーク（キー局）をモニタ３４０に表示する例について説明したが、本発明はこれに限定されない。例えば、ロゴマーク（キー局）のみをモニタ３４０に表示するようにしても良い。ただし、サービスロゴおよびロゴマーク（キー局）の両方を表示した方が、現在視聴しているデジタル放送がどの系列局に属する放送局から放送されたものであるかを把握するとともに、受信中のデジタル放送の放送局を把握することができる点で好ましい。
【００５１】
また、上記第２の実施形態では、サービスロゴおよびロゴマーク（ユーザ居住区域）をモニタ３４０に表示する例について説明したが、本発明はこれに限定されない。例えば、ロゴマーク（ユーザ居住区域）のみをモニタ３４０に表示するようにしても良い。ただし、サービスロゴおよびロゴマーク（ユーザ居住区域）の両方を表示した方が、現在視聴しているデジタル放送がどの系列局に属する放送局から放送されたものであるかを把握するとともに、受信中のデジタル放送の放送局を把握することができる点で好ましい。
【００５２】
また、上記第２の実施形態では、デジタル放送信号に含まれるデータストリームから、ロゴマーク（ユーザ居住区域）を抽出してロゴマーク記憶部２８０′に記憶する例について説明したが、本発明はこれに限定されない。例えば、全国の都道府県の各々で受信可能な放送局をそれぞれ表すロゴマークをロゴマーク記憶部２８０′にあらかじめ保持しておき、その中から何れかをロゴマーク（ユーザ居住区域）として特定するようにしても良い。この場合、ロゴマーク取得部３００′は、データデコーダ２６０′から出力された放送局情報により示される放送局が居住区域設定部３８０から出力された居住区域情報により示される居住区域で受信可能な放送局であると判定した場合、ロゴマーク記憶部２８０′に記憶されている全国のロゴマークのうち、どのロゴマークがロゴマーク（ユーザ居住区域）であるか識別できるようにフラグ情報を当該ロゴマーク（ユーザ居住区域）に関連付けて記憶する。
【００５３】
また、上記第１および第２の実施形態では、デジタル放送信号に含まれるデータストリームから、受信中の放送局を表すサービスロゴを抽出する例について説明したが、本発明はこれに限定されない。例えば、全国の都道府県の各々で受信可能な放送局をそれぞれ表すロゴマークをロゴマーク記憶部２８０（２８０′）にあらかじめ保持しておき、受信中の放送局を表すロゴマークをロゴマーク記憶部２８０（２８０′）から適宜取得するようにしても良い。
【００５４】
また、上記第１の実施形態および第２の実施形態を適宜組み合わせても良い。例えば、ロゴマーク（キー局）およびロゴマーク（ユーザ居住区域）をモニタ３４０に表示するようにしてもよい。また、サービスロゴ、ロゴマーク（キー局）およびロゴマーク（ユーザ居住区域）の全部をモニタ３４０に表示するようにしてもよい。
【００５５】
また、上記第１の実施形態および第２の実施形態では、受信可能な放送局が変わった場合にロゴマーク（キー局）やロゴマーク（ユーザ居住区域）を表示し続ける例について説明したが、本発明はこれに限定されない。例えば、受信可能な放送局が変わった場合にロゴマーク（キー局）やロゴマーク（ユーザ居住区域）を所定時間（例えば、１０秒）だけ表示し、その後表示しないようにしても良い。このようにすれば、系列局を把握したユーザにとって不要なロゴマーク（キー局）やロゴマーク（ユーザ居住区域）が長時間表示されることを防止することができる。
【００５６】
また、上記第１の実施形態および第２の実施形態では、サービスロゴに加えて、ロゴマーク（キー局）やロゴマーク（ユーザ居住区域）を自動的に表示する例について説明したが、本発明はこれに限定されない。例えば、操作部（図示せず）に対して、ロゴマーク（キー局）やロゴマーク（ユーザ居住区域）を表示するための操作がユーザにより行われた場合にのみ、ロゴマーク（キー局）やロゴマーク（ユーザ居住区域）を表示するようにしてもよい。このようにすれば、系列局を把握済みのユーザにとって不要なロゴマーク（キー局）やロゴマーク（ユーザ居住区域）が表示されることを防止することができる。
【００５７】
また、上記第１の実施形態および第２の実施形態では、サービスロゴに加えて、ロゴマーク（キー局）やロゴマーク（ユーザ居住区域）を表示する例について説明したが、ロゴマーク（キー局）やロゴマーク（ユーザ居住区域）に代えて、
系列局のキー局を文字列で表した文字列情報やユーザの居住区域で受信可能な放送局を文字列で表した文字列情報を表示するようにしてもよい。
【００５８】
また、ロゴマーク（キー局）やロゴマーク（ユーザ居住区域）に代えて、例えば放送区域をまたがる車両の移動によって受信可能な放送局が変わる前に受信可能であった放送局を表すロゴマークを表示するようにしてもよい。
【００５９】
例えば、自宅（福島）から千葉県まで車内で移動する場合を考えてみる。この場合、福島県内を移動しているときは、福島県において受信可能な放送局Ａを表すロゴマークが表示される。その後、茨城県内に入ると、茨城県において受信可能な放送局Ｂを表すロゴマークに加えて、茨城県に入る前に受信可能であった福島県の放送局Ａを表すロゴマークが表示される。その後、千葉県内に入ると、千葉県において受信可能な放送局Ｃを表すロゴマークに加えて、千葉県に入る前に受信可能であった茨城県の放送局Ｂを表すロゴマークが表示される。ここで、放送局Ａ、Ｂ、Ｃは同じ系列局に属するものとする。
【００６０】
以上のようなケースでは、茨城県内を移動しているときに普段視聴しているデジタル放送の放送局Ａを表すロゴマークと、現在受信している放送局Ｂを表すロゴマークとが表示されるため、これらのロゴマークを見たユーザは、放送局Ａを表すロゴマークを介して放送局Ｂの系列局を把握することができる。さらに、千葉県内を移動しているときに、千葉県に入る前に受信していた茨城県の放送局Ｂを表すロゴマークと、現在受信している放送局Ｃを表すロゴマークとが表示されるため、これらのロゴマークを見たユーザは、放送局Ｂが放送局Ａと同一の系列局に属することを覚えていれば、放送局Ｂを表すロゴマークを介して放送局Ｃの系列局を把握することができる。なお、過去に受信可能であった放送局を表すロゴマークＡ、Ｂ、Ｃの全部を表示するようにしてもよい。
【００６１】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００６２】
１００，１００′  デジタル放送受信装置
１２０  放送チューナ
２６０  データデコーダ
３２０，３２０′  表示制御部
【図１】
2010246071.tif 000003
【図２】
2010246071.tif 000004
【図３】
2010246071.tif 000005
【図４】
2010246071.tif 000006
【図５】
2010246071.tif 000007
【図６】
2010246071.tif 000008